(57)【要約】【課題】打設すべき生コンクリートの量を低減させるとともに設置工事の安全性を向上させるコンクリートブロックを提供する。【解決手段】コンクリートブロック１７の底板２０と側板２６とが接続するコーナー部分２４の位置に、下方と外方とに膨らむ膨出部２３が一体的に形成されている。膨出部２３はレベル調整具２２が設置されていない領域に対して、これを占有するように設定されている。従ってコンクリートブロック１７の底板２０の下面に流し込まれた生コンクリートは、膨出部２３が形成されている領域においては、その下面と基礎コンクリート１９の上面との間のわずかな領域にのみ充填されることになる。これによって打設すべき生コンクリートの量を減少するとともに、膨出部２３の下面が基礎コンクリート１９の上面に近づくことになるため、設置状態の安全性が向上する。【選択図】　　　図２
2004019196.tif 000002
【特許請求の範囲】
【請求項１】
底板と、前記底板の少なくとも一端から上方に伸びる側板とからなり、レベル調整具を介して前記底板を支持基盤上に支持した状態で前記底板と前記支持基盤の上面との間の空間及び前記側板の外方下部周りに打設された生コンクリートによって、前記支持基盤に固定されるコンクリートブロックにおいて、
前記レベル調整具によって支持されない部分であって、前記底板と、前記側板とが接続するコーナー部分において下方に膨らむ膨出部を備え、前記膨出部の下端と前記底板の下面とからなる垂直寸法は、前記レベル調整具の調整高さより小さいことを特徴とする、コンクリートブロック。
【請求項２】
垂直方向に伸びる１対の側板を有し、レベル調整具を介して前記側板の下面を支持基盤上に支持した状態で前記側板と前記支持基盤の上面との間の空間及び前記側板の外方下部周りに打設された生コンクリートによって、前記支持基盤に固定されるコンクリートブロックにおいて、
前記レベル調整具によって支持されない部分であって、前記側板の下方部分において下方に膨らむ膨出部を備え、前記膨出部の下端と前記側板の下面とからなる垂直寸法は、前記レベル調整具の調整高さより小さいことを特徴とする、コンクリートブロック。
【請求項３】
前記膨出部は、更に外方に膨らむ、請求項１又は請求項２記載のコンクリートブロック。
【請求項４】
底板と、前記側板の少なくとも一端から上方に伸びる側板とからなり、レベル調整具を介して前記底板を支持基盤上に支持した状態で前記底板と前記支持基盤の上面との間の空間及び前記側板の外方下部周りに打設された生コンクリートによって、前記支持基盤に固定されるコンクリートブロックに対して用いられる補助コンクリートブロックであって、
前記支持基盤上に設置して前記側板に沿わすことができる平坦部と、
前記平坦部に接続され、前記レベル調整具によって支持されない部分であって、前記底板の下面と前記支持基盤との間のスペースに突出する突出部とからなり、前記突出部の上端と前記支持基盤の上面とからなる垂直寸法は、前記レベル調整具の調整高さより小さい、補助コンクリートブロック。
【請求項５】
垂直方向に伸びる１対の側板を有し、レベル調整具を介して前記側板の下面を支持基盤上に支持した状態で前記側板と前記支持基盤の上面との間の空間及び前記側板の外方下部周りに打設された生コンクリートによって、前記支持基盤に固定されるコンクリートブロックに対して用いられる補助コンクリートブロックであって、
前記支持基盤上に設置して前記側板に沿わすことができる平坦部と、
前記平坦部に接続され、前記レベル調整具によって支持されない部分であって、前記側板の下面と前記支持基盤との間のスペースに突出する突出部とからなり、前記突出部の上端と前記支持基盤の上面とからなる垂直寸法は、前記レベル調整具の調整高さより小さい、補助コンクリートブロック。
【請求項６】
コンクリートブロックの設置方法であって、
垂直方向に伸びる側板を少なくとも有するコンクリートブロックを支持基盤上にレベル調整具を介して支持する工程と、
請求項４又は請求項５記載の補助コンクリートブロックを前記支持基盤上で移動させて前記突出部が前記レベル調整具の間の領域に位置するようにして前記平坦部を前記側板に当接させる工程と、
前記補助コンクリートブロックに囲まれた前記底板と前記支持基盤との間の空間に生コンクリートを打設する工程とを備えた、コンクリートブロックの設置方法。
【発明の詳細な説明】
【０００１】
【発明の属する技術分野】
この発明はコンクリートブロック、補助コンクリートブロック及びその設置方法に関し、特に擁壁ブロック、水路ブロック、ボックスカルバート等のコンクリートブロック、その設置に用いる補助コンクリートブロック及びこれらの設置方法に関するものである。
【０００２】
【従来の技術】
図１３は従来のボックスカルバートからなるコンクリートブロックの外観形状を示した斜視図であり、図１４は図１１で示したＸＩＶ−ＸＩＶラインから見た図であり、図１５は図１４で示したＸＶ−ＸＶラインの断面図である。
【０００３】
これらの図を参照して、ボックスカルバートを示しているコンクリートブロック１７は、基礎コンクリート１９側に面する底板２０と、底板２０の両端側から上方に伸びる側板２６ａ，側板２６ｂと、側板２６ａ，側板２６ｂの各々の上端に接続する天板６１とから構成されている。尚、底板２０には、後述する生コンクリートの打設の際に用いるコンクリート打設穴２５が形成されている。
【０００４】
図においては、コンクリートブロック１７をクレーン等で吊り下ろし、その高さレベルを図示しないジャッキ等を用いて調整した後、そのレベルを維持するためにレベル調整具２２ａ，レベル調整具２２ｂを設置した状態が示されている。
【０００５】
レベル調整具２２は、ターンバックル式ナット３７を中心として構成され、ターンバックル式ナット３７の上半分に螺合される平頭ボルト３８と、ターンバックル式ナット３７の下半分に螺合され、平頭ボルト３８とは反対方向のねじ山を有する平頭ボルト３９とから構成されている。
【０００６】
これによって、ターンバックル式ナット３７をいずれか一方方向に回転させると、その回転に伴なって平頭ボルト３８及び平頭ボルト３９がターンバックル式ナット３７に対してその螺合の程度が同様に変化し、結果として平頭ボルト３８の上面と平頭ボルト３９の下面との距離が増減する。具体的には、コンクリートブロック１７の底板２０の下面にレベル調整具２２の平頭ボルト３８の上面を宛がい、平頭ボルト３９の下面を基礎コンクリート１９の上面に配置された平板４０の上面に宛がうようにターンバックル式ナット３７を調整する。このようにして、底板２０の基礎コンクリート１９に対して調整されたレベルを維持することが可能となる。レベル調整具２２の調整が終了すると、高さ調整に用いたジャッキはコンクリート１７から除去される。
【０００７】
次に、この状態からコンクリートブロック１７を基礎コンクリート１９に対して固定すべく、生コンクリートの打設が行われる。この状態を示したのが図１６である。
【０００８】
図を参照して、生コンクリートの打設に先立って、側板２６ａ，側板２６ｂの各々の外方を囲うように、例えば木材等からなる型枠２８が、基礎コンクリート１９上に設置される。この状態で型枠２８と側板２６ａとの間のスペースの上方から及び底板２０に形成されたコンクリート打設穴２５を介して、生コンクリート２９がその内部に流し込まれる。この生コンクリート２９の打設はレベル調整具２２ａを設置した状態で行われる。そして、生コンクリート２９が乾燥して固化すると、コンクリートブロック１７は基礎コンクリート１９上に所定のレベルに調整された状態で固定されることになる。
【０００９】
【発明が解決しようとする課題】
上記のような従来のコンクリートブロックの設置方法では、整然とした型枠を設置する必要があるため、その準備に手間がかかる。又、生コンクリートの打設領域が大きいため、現場で使用すべき生コンクリートの量が多くなる。それに伴って、生コンクリートの乾燥期間が長くなるため全体としての工期が短縮できない。又、生コンクリートの打設前では、コンクリートブロックはレベル調整具のみによって支持されている状態であるため、安全性が充分とは言えなかった。
【００１０】
この発明は上記のような課題を解決するためになされたもので、型枠を簡易に又は不要とし、打設すべき生コンクリートの量を低減して全体の工期を短縮化させるとともに、設置工事の安全性を向上させるコンクリートブロック、補助コンクリートブロック及びその設置方法を提供することを目的とする。
【００１１】
【課題を解決するための手段】
上記の目的を達成するために、請求項１記載の発明は、底板と、底板の少なくとも一端から上方に伸びる側板とからなり、レベル調整具を介して底板を支持基盤上に支持した状態で底板と支持基盤の上面との間の空間及び側板の外方下部周りに打設された生コンクリートによって、支持基盤に固定されるコンクリートブロックにおいて、レベル調整具によって支持されない部分であって、底板と側板とが接続するコーナー部分において少なくとも下方に膨らむ膨出部を備え、膨出部の下端と底板の下面とからなる垂直寸法は、レベル調整具の調整の高さよりも小さくしたことを特徴としたものである。
【００１２】
このように構成すると、生コンクリートの打設すべき空間の大きさが減少する。
【００１３】
請求項２記載の発明は、垂直方向に伸びる１対の側板を有し、レベル調整具を介して側板の下面を支持基盤上に支持した状態で側板と支持基盤の上面との間の空間及び側板の外方下部周りに打設された生コンクリートによって、支持基盤に固定されるコンクリートブロックにおいて、レベル調整具によって支持されない部分であって、側板の下方部分において下方に膨らむ膨出部を備え、膨出部の下端と側板の下面とからなる垂直寸法は、レベル調整具の調整高さより小さいことを特徴としたものである。
【００１４】
このように構成すると、生コンクリートの打設すべき空間の大きさが減少する。
【００１５】
請求項３記載の発明は、請求項１又は請求項２記載の発明の構成において、膨出部は更に外方に膨らむものである。
【００１６】
このように構成すると、生コンクリートの使用量が更に減少するため、設置工期が更に短縮化される。
【００１７】
請求項４記載の発明は、底板と、底板の少なくとも一端から上方に伸びる側板とからなり、レベル調整具を介して底板を支持基盤上に支持した状態で底板と支持基盤の上面との間の空間及び側板の外方下部周りに打設された生コンクリートによって、支持基盤に固定されるコンクリートブロックに対して用いられる補助コンクリートブロックであって、支持基盤上に設置して側板に沿わすことができる平坦部と、平坦部に接続され、レベル調整具によって支持されない部分であって、底板の下面と支持基盤との間のスペースに突出する突出部とからなり、突出部の上端と支持基盤の上面とからなる垂直寸法は、レベル調整具の調整高さより小さくしたものである。
【００１８】
このように構成すると、コンクリートブロックの設置の際にその側板に沿わすように補助コンクリートブロックを使用すると、打設されるべき生コンクリートの使用量が減少する。
【００１９】
請求項５記載の発明は、垂直方向に伸びる１対の側板を有し、レベル調整具を介して側板の下面を支持基盤上に支持した状態で側板と支持基盤の上面との間の空間及び側板の外方下部周りに打設された生コンクリートによって、支持基盤に固定されるコンクリートブロックに対して用いられる補助コンクリートブロックであって、支持基盤上に設置して側板に沿わすことができる平坦部と、平坦部に接続され、レベル調整具によって支持されない部分であって、側板の下面と支持基盤との間のスペースに突出する突出部とからなり、突出部の上端と支持基盤の上面とからなる垂直寸法は、レベル調整具の調整高さより小さくしたものである。
【００２０】
このように構成すると、コンクリートブロックの設置の際にその側板に沿わすように補助コンクリートブロックを使用すると、打設されるべき生コンクリートの使用量が減少する。
【００２１】
請求項６記載の発明は、コンクリートブロックの設置方法であって、垂直方向に伸びる側板を少なくとも有するコンクリートブロックを支持基盤上にレベル調整具を介して支持する工程と、請求項４又は請求項５記載の補助コンクリートブロックを支持基盤上で移動させて突出部がレベル調整具の間の領域に位置するようにして平坦部を側板に当接させる工程と、補助コンクリートブロックに囲まれた底板と支持基盤との間の空間に生コンクリートを打設する工程とを備えたものである。
【００２２】
このように構成すると、生コンクリートを打設すべき空間の大きさが減少する。
【００２３】
【発明の効果】
以上説明したように、請求項１又は請求項２記載の発明は、生コンクリートの打設すべき空間の大きさが減少するため、現場での生コンクリートの使用量が減少し、設置工期が短縮化される。又、レベル調整具同士の間のスペースには膨出部が配置されることになるため、レベル調整具のみによる使用状態の安全性が向上する。又、膨出部の存在によって、生コンクリートの打設の際に必要な型枠を簡易なものにできる。
【００２４】
請求項３記載の発明は、請求項１又は請求項２記載の発明の効果に加えて、生コンクリートの使用量が更に減少するため、設置工期が更に短縮化される。
【００２５】
請求項４又は請求項５記載の発明は、コンクリートブロックの設置の際に補助コンクリートブロックを使用すると、型枠を不要とするとともに現場での生コンクリートの使用量が減少するため、設置工期が短縮化される。又、レベル調整具回りを含めてコンクリートブロックの側板下方が囲われるため、レベル調整具のみの使用状態の安全性がより向上する。
【００２６】
請求項６記載の発明は、型枠を不要とするとともに生コンクリートを打設すべき空間の大きさが減少するため、設置工期が短縮化される。又、レベル調整具周りも含めて、コンクリートブロックの側板下方が囲われるため、レベル調整具のみの使用状態の安全性がより向上する。
【００２７】
【発明の実施の形態】
図１は従来例で示した図１２に対応した図であって、この発明の第１の実施の形態によるコンクリートブロックの据付状態を示した図であり、図２は図１で示したＩＩ−ＩＩラインの断面図であり、図３は図１で示したＩＩＩ−ＩＩＩラインの断面図である。
【００２８】
これらの図を参照して、ボックスカルバート等のコンクリートブロック１７を構成する底板２０と底板２０の一端から上方に伸びる側板２６とが接続するコーナー部分２４の下方及び外方に膨らむ膨出部２３が、コンクリートブロック１７として一体的に形成されている。
【００２９】
膨出部２３は具体的には、コーナー部分２４から下方に伸びる部分とコーナー部分２４から外方に伸びる部分とから断面逆Ｌ字状に構成されている。膨出部２３の下方に伸びる部分の底板２０の下面からの垂直距離Ｌは、レベル調整具２２ａの調整高さより小さく設定されている。すなわち、レベル調整具２２ａをその調整高さに設定した状態においては、膨出部２３の下方端は基礎コンクリート１９の上面より寸法Ｈだけ上方に位置することになる。このため、膨出部２３の存在によってコンクリートブロック１７のレベル調整を阻害する虞はない。又、このように膨出部２３の寸法が設定されているので、コンクリートブロック１７のレベル調整時において、膨出部２３の下面をジャッキの爪によって持ち上げてこれを調整することも可能となる。
【００３０】
そしてコンクリートブロック１７のレベル調整が終わり、ジャッキ等を取外した状態においてレベル調整具２２ａとレベル調整具２２ｂとの間のスペースには膨出部２３が常時存在することになる。従って、レベル調整具２２ａ，レベル調整具２２ｂ等が何らかのトラブルで外れたような場合であっても、コンクリートブロック１７の降下程度は小さくなるため、設置状態の安全性がより向上する。
【００３１】
次に、図１から図３で示したコンクリートブロックに対して生コンクリートを打設する工程について説明する。図４はこのような生コンクリートの打設状況について説明するための図であって図２に対応した図であり、図５は図３に対応した図である。
【００３２】
図を参照して、生コンクリートの打設に際しては、まず、膨出部２３の外方面に沿うようにして、例えば木製等の型枠２８を基礎コンクリート１９上に設置する。型枠２８の高さは、膨出部２３の上面よりやや高くなるように設定するのが好ましい。尚、型枠２８は、膨出部２３の存在によって従来例に比べて囲うべき範囲が大きく低減されるため、全体的に簡易な構造とすることができる。次に、コンクリートブロック１７の底板２０に形成されたコンクリート打設穴２５の部分及び型枠２８と側板２６の外面との間のスペースであって、隣接する膨出部２３の間の部分から生コンクリート２９を流し込む。これによって、流し込まれた生コンクリート２９はレベル調整具２２の周りも含めて充填される。
【００３３】
一方、膨出部２３が形成されている位置においては、図５に示すように、流し込まれた生コンクリート２９は、コンクリートブロック１７の底板２０の下面と基礎コンクリート１９の上面とのスペース及び膨出部２３の下面と基礎コンクリート１９の上面との小さなスペースに充填される。
【００３４】
図から明らかなように、膨出部２３の形成によって、生コンクリート２９の充填されるべきスペースは、図１４の従来例で示したものに比べて極めて小さなものとなる。従って、充填すべき生コンクリート２９の量は少なくなり、その乾燥に要する期間も短くなるため、全体の工期が短縮化される。
【００３５】
尚、型枠２８は膨出部２３の外方側面に沿って取付ければ良いため、従来に比べてその設置が容易となる。充填された生コンクリート２９が乾燥すると、コンクリートブロック１７は基礎コンクリート１９に対して堅固に固定されることになる。
【００３６】
図６は従来例として示した図１２に対応する図であって、この発明の第２の実施の形態によるコンクリートブロックの設置状態を示した図であり、図７は図６で示したＶＩＩ−ＶＩＩラインの断面図であり、図８は図６で示したＶＩＩＩ−ＶＩＩＩラインの断面図である。
【００３７】
これらの図を参照して、この実施の形態によるボックスカルバート等のコンクリートブロック１７の形状は従来例で示したものと同一である。そして、コンクリートブロック１７のレベル調整後にその底板２０の下面に設置して調整されたレベルを保持するようにして用いるレベル調整具２２ａ，レベル調整具２２ｂも、従来例として用いたものと同一である。
【００３８】
そこで、この実施の形態においては、レベル調整されたコンクリートブロック１７に対して生コンクリートを打設して固定する際に、補助コンクリートブロックを用いて行うものである。この補助コンクリートブロック３１は、コンクリートブロック１７の側板２６の外面に沿ってこれを囲うようにして基礎コンクリート１９上に設置される平坦部３２と、平坦部３２の内面側に所定間隔でもってこれと一体的に形成され、コンクリートブロック１７の底板２０の下面スペースに突出する突出部３３とから構成されている。
【００３９】
突出部３３は、図６に示されているように、レベル調整具２２ａ，レベル調整具２２ｂが配置されていない領域に位置するように設定されている。そして突出部３３の上面と基礎コンクリート１９の上面とからなる垂直距離Ｌは、レベル調整具２２の調整高さより小さく設定されている。すなわち、レベル調整具２２をその調整高さに調整してコンクリートブロック１７を支持した場合にあっては、底板２０の下面と突出部３３の上面との間に寸法Ｈが生じることになる。このように突出部３３の高さＬを設定しているため、レベル調整具２２を調整高さで使用した場合にあっては、突出部３３の上面がコンクリートブロック１７の底板２０の下面に接触する虞はない。
【００４０】
次に、この実施の形態による補助ブロックの使用方法について説明する。
【００４１】
まず補助コンクリートブロック３１を取付けない状態で、従来例と同様にコンクリートブロック１７の高さレベルをジャッキ等を用いて調整する。そしてレベル調整が終了すると、調整後のレベルによって生じたコンクリートブロック１７の底板２０の下面と基礎コンクリート１９の上面との間の距離に応じてレベル調整具２２を調整し、これによってコンクリートブロック１７を支持する。この状態でレベル調整に用いたジャッキ等をコンクリートブロック１７から除去する。
【００４２】
次に、補助コンクリートブロック３１をコンクリートブロック１７の側方に設置する。そして、これをその突出部３３がレベル調整具２２ａ，レベル調整具２２ｂの間の領域に向かうように設定して、補助コンクリートブロック３１をコンクリートブロック１７側に進行させる。このようにして、補助コンクリートブロック３１を、その平坦部３２の内方面が側板２６の外方面に接する位置まで進行させると、その設置が完了する。
【００４３】
これによって、コンクリートブロック１７の側板２６の側面下方は、補助コンクリートブロック３１の平坦部３２によって完全に囲われた状態となる。そのため、この実施の形態においては、コンクリートブロック１７の高さレベルを保持しているレベル調整具２２ａ，レベル調整具２２ｂはもとより、その周りのスペースさえ外方に露出することはない。
【００４４】
しかも、底板２０の下面には補助コンクリートブロック３１の突出部３３の上面が接近した状態に設置されているため、仮にレベル調整具２２ａ，レベル調整具２２ｂの支持状態にトラブルが生じた場合であっても、コンクリートブロック１７は補助コンクリートブロック３１の突出部３３上に落下するだけであり、この設置状態における安全性を極めて向上させる。
【００４５】
次に、この実施の形態によるコンクリートブロック及び補助コンクリートブロックを用いて生コンクリートを打設する工程について説明する。図９及び図１０はこの生コンクリートの打設状況を説明するための図であって、それぞれ図７及び図８に対応した図である。
【００４６】
これらの図を参照して、生コンクリート２９を打設する前には、補助コンクリートブロック３１を図示しない支持手段によってコンクリートブロック１７の側板２６の外方から離れないように支持する。補助コンクリートブロック３１は、コンクリートブロック１７の外周を全周囲っているので、従来のような生コンクリート打設のための型枠の設置を全く不要とする。この状態で、コンクリートブロック１７の底板２０に形成されたコンクリート打設穴２５から生コンクリート２９を流し込む。流し込まれた生コンクリート２９は、レベル調整具２２ａの周りも含めて底板２０の下面と基礎コンクリート１９の上面との間の領域に充填される。
【００４７】
一方、補助コンクリートブロック３１の突出部３３が存在している部分においては、図１０に示すように底板２０の下面と基礎コンクリート１９の上面及び補助コンクリートブロック３１の突出部３３の上面との間で規定される領域に充填される。図１０から明白なように、補助コンクリートブロック３１の突出部３３が形成されている部分においては、生コンクリート２９の充填すべきスペースが極めて小さくなっている。この突出部３３は図６に示されているように、レベル調整具２２ａ，レベル調整具２２ｂが配置されていない領域全てに対して存在しているため、充填すべき生コンクリート２９の量を大きく低減することが可能となる。
【００４８】
又、補助コンクリートブロック３１の平坦部３２はコンクリートブロック１７の側板２６に沿って連続的に形成されているため、図１４の従来例と比べて明白なように、平坦部３２の容量に相当する生コンクリート２９を必要としない。このように、従来例と比べて平坦部３２と突出部３３との容積分だけ生コンクリート２９はその充填量が減少する。これによって、充填された生コンクリート２９の乾燥に要する期間が短くなり、全体の工期を短縮する。尚、この第２の実施の形態によれば、上記のように従来例で示したような型枠の設置を全く必要としないため、より効率的なコンクリートブロック１７の設置が可能となる。
【００４９】
生コンクリート２９が乾燥すると、コンクリートブロック１７は補助コンクリートブロック３１に対しても堅固に結合されるため、安定した状態で基礎コンクリート１９に固定されることになる。
【００５０】
図１１はこの発明の第３の実施の形態によるコンクリートブロックに対して生コンクリートを打設した状態を示した図であり、第１の実施の形態の図４に対応した図である。
【００５１】
図を参照して、コンクリートブロック１７は底板が形成されていない水路ブロックであり、図においては垂直方向に伸びる１対の側板２６の一方のみが表示されている。側板２６の下方においては、下方及び外方に向かって膨らむ膨出部２３が側板２６と一体的に形成されている。側板２６の下面はレベル調整具２２ａによって支持され、図示しない他のレベル調整具と共に水路ブロック１７の高さが調整されている。尚、先の実施の形態と同様に側板２６の下面と膨出部２３の下端とからなる垂直寸法は、レベル調整具２２ａの調整高さより小さくなるように設定されている。
【００５２】
高さの調整が終了すると、膨出部２３の外側面に沿わせて型枠２８を基礎コンクリート１９上に設置する。次に生コンクリート２９を流し込む。これによって先の第１の実施の形態と同様に充填すべき生コンクリート２９の量が少なくなり、その乾燥に要する期間も短くなり全体の工期が短縮化される。尚、固化した生コンクリート２９は、側板２６の内方においてコンクリートブロック１７の底板を形成することになる。
【００５３】
図１２はこの発明の第４の実施の形態によるコンクリートブロックに対して生コンクリートを打設した状態を示した図であり、第２の実施の形態の図９に対応した図である。
【００５４】
図を参照して、このコンクリートブロック１７は底板が形成されていない水路ブロックであり、図においては垂直方向に伸びる１対の側板２６の一方のみが表示されている。側板２６の下方においては、平坦部３２と突出部３３とからなる補助コンクリートブロック３１が、平坦部３２の内方面が側板２６の外面に沿うように基礎コンクリート１９上に配置されている。側板２６の下面はレベル調整具２２ａによって支持され、図示しない他のレベル調整具と共に水路ブロックの高さが調整されている。尚、先の第２の実施の形態と同様に突出部３３の上端と基礎コンクリート１９の上面とからなる垂直寸法は、レベル調整具２２ａの調整高さより小さくなるように設定されている。
【００５５】
高さの調整が終了すると、補助コンクリート３１を図示しない支持手段によってコンクリートブロック１７の側板２６の外方から離れないように支持する。次に生コンクリート２９を側板２６の内方から流し込む。これによって先の第２の実施の形態と同様に充填すべき生コンクリート２９の量が少なくなり、その乾燥に要する期間も短くなり全体の工期が短縮化される。尚、固化した生コンクリート２９はコンクリートブロック１７の底板を形成することになる。
【００５６】
尚、上記の各実施の形態では、コンクリートブロックは基礎コンクリートの上にレベル調整具を介して支持されているが、基礎コンクリートのような支持基盤のみならず基礎砕石、路盤等の他の支持基盤の上において同様にレベル調整具によって支持されるコンクリートブロックに対しても同様に適用できる。
【００５７】
又、上記の第１の実施の形態では、膨出部はコーナー部分から下方だけでなく外方にも形成されているが、下方にのみ形成した膨出部であっても良い。
【００５８】
更に、上記の各実施の形態では、レベル調整具を特定形状としているが、他の構造によるレベル調整具を用いても同様の効果を奏する。
【００５９】
更に、上記の第１の実施の形態では、コンクリートブロックの底板に生コンクリートの投入のための打設穴が形成されているが、この打設穴は必ずしも必要なものではなく、外方からのみ生コンクリートを投入するように構成しても良い。
【００６０】
更に、上記の各実施の形態では、コンクリートブロックとしてボックスカルバートや水路ブロックを想定しているが、底板の一方端から上方に側板が延びる擁壁ブロック等の他の形状のコンクリートブロックにも同様に適用できることは言うまでもない。
【図面の簡単な説明】
【図１】この発明の第１の実施の形態によるコンクリートブロックの設置状態を示した側面図である。
【図２】図１で示したＩＩ−ＩＩラインの断面図である。
【図３】図１で示したＩＩＩ−ＩＩＩラインの断面図である。
【図４】図２に対応した図であって、生コンクリートを打設した状態を示した図である。
【図５】図３に対応した図であって、生コンクリートを打設した状態を示した図である。
【図６】この発明の第２の実施の形態によるコンクリートブロックの設置状態を示した側面図である。
【図７】図６で示したＶＩＩ−ＶＩＩラインの断面図である。
【図８】図６で示したＶＩＩＩ−ＶＩＩＩラインの断面図である。
【図９】図７に対応した図であって、生コンクリートを打設した状態を示した図である。
【図１０】図８に対応した図であって、生コンクリートを打設した状態を示した図である。
【図１１】この発明の第３の実施の形態によるコンクリートブロックに対して生コンクリートを打設した状態を示した図である。
【図１２】この発明の第４の実施の形態によるコンクリートブロックに対して生コンクリートを打設した状態を示した図である。
【図１３】従来のコンクリートブロックの設置状態を示した概略斜視図である。
【図１４】図１１で示したＸＩＶ−ＸＩＶラインから見た図である。
【図１５】図１２で示したＸＶ−ＸＶラインの断面図である。
【図１６】図１３に対応した図であって、生コンクリートを打設した状態を示した図である。
【符号の説明】
１７…コンクリートブロック
１９…基礎コンクリート
２０…底板
２２…レベル調整具
２３…膨出部
２４…コーナー部分
２６…側板
２９…生コンクリート
３１…補助コンクリートブロック
３２…平坦部
３３…突出部
尚、各図中同一符号は同一又は相当部分を示す。
【図１】
2004019196.tif 000003
【図２】
2004019196.tif 000004
【図３】
2004019196.tif 000005
【図４】
2004019196.tif 000006
【図５】
2004019196.tif 000007
【図６】
2004019196.tif 000008
【図７】
2004019196.tif 000009
【図８】
2004019196.tif 000010
【図９】
2004019196.tif 000011
【図１０】
2004019196.tif 000012
【図１１】
2004019196.tif 000013
【図１２】
2004019196.tif 000014
【図１３】
2004019196.tif 000015
【図１４】
2004019196.tif 000016
【図１５】
2004019196.tif 000017
【図１６】
2004019196.tif 000018